(57)【要約】  ディスプレイ・デバイスがＮ×１のアレイに配列されたセグメント化されたディスプレイ・システムについて記載する。セグメント化されたディスプレイ・システムは、複数のプロジェクション・デバイスを含み、各プロジェクション・デバイスは、Ｎ×１のアレイにおけるディスプレイ・デバイスのうちの対応するものの上に画像の一部を投影する。Ｎ×１のアレイにおける各プロジェクション・レンズの周りで可動マスクを用いることにより、余分な光から生ずる歪みが最少になる。
2007517435.tif 000002
【特許請求の範囲】
【請求項１】
互いに隣接して配列されてスクリーンを形成する複数のディスプレイと、
前記複数のディスプレイの各々に対応し、各々がレンズを備える複数のプロジェクタと、
前記複数のプロジェクタの各レンズ、および当該プロジェクタに対応する複数のディスプレイの間に設けられるマスク・アセンブリと、
を含むプロジェクション・システム。
【請求項２】
前記複数のディスプレイが、Ｎ×１のアレイに配列された、請求項１に記載のプロジェクション・システム。
【請求項３】
更に、前記複数のプロジェクタの各々が、ミラーを備える、請求項１に記載のプロジェクション・システム。
【請求項４】
前記ミラーが、前記プロジェクタのランプに対して４５度の角度で配置される、請求項３に記載のプロジェクション・システム。
【請求項５】
前記マスク・アセンブリが、マスク・フレームとマスクとを備える、請求項１に記載のプロジェクション・システム。
【請求項６】
前記マスクが、前記マスク・フレームに対して可動である、請求項５に記載のプロジェクション・システム。
【請求項７】
前記マスクが、前記レンズ上に設けられる、請求項５に記載のプロジェクション・システム。
【発明の詳細な説明】
【技術分野】
【０００１】
（関連出願とのクロスリファレンス）
本出願は、２００３年１２月２２日に出願され、「セグメント化されたディスプレイのための可動ライト・マスキング（Ｍｏｖａｂｌｅ  Ｌｉｇｈｔ  Ｍａｓｋｉｎｇ  ｆｏｒ  Ｓｅｇｍｅｎｔｅｄ  Ｄｉｓｐｌａｙｓ）」と題された米国仮特許出願第６０／５３１,７３２号の優先権を主張するものである。
【０００２】
本発明は、主に、ディスプレイの分野に関し、より具体的には、複数のプロジェクション・デバイス（ｐｒｏｊｅｃｔｉｏｎ  ｄｅｖｉｃｅ：投写装置）を含むセグメント化されたディスプレイ・システムに関する。
【背景技術】
【０００３】
セグメント化されたディスプレイ・システムは、主に、複数のプロジェクション・デバイスおよび複数のディスプレイ・デバイスを含んでいる。各プロジェクション・デバイスは、ディスプレイ・デバイスのうちの対応するものの上に画像の一部を投影する。多くのセグメント化されたディスプレイ・システムのために、ディスプレイ・デバイスは、図１に示すように、例えば、２×２などの正方形のアレイ（Ｎ×Ｎ）に配列される。
【０００４】
多くのセグメント化されたシステムにおいては、各プロジェクション・デバイスは、余分のライト（光）を提供するが、このライトは、投影された画像を歪める恐れがある。セグメント化されたディスプレイ・システムの中には、ランプの隣で布マスクを使用して余分なライト（光）をブロックするものがある。しかしながら、使用されているランプは１００ワットのものであり、布マスクの近くでは発火の危険を生じさせるものである。
【０００５】
従って、表示された画像の余分のライトから生ずる歪みを最小限にするディスプレイ・システムに対する需要がある。
【発明の開示】
【０００６】
（発明の概要）
本発明は、ディスプレイ・デバイスがＮ×１のアレイに配列されたセグメント化されたディスプレイ・システムに関する。セグメント化されたディスプレイ・システムは、複数のプロジェクション・デバイスを含み、各プロジェクション・デバイスは、Ｎ×１のアレイにおけるディスプレイ・デバイスのうちの対応するものの上に画像の一部を投影する。Ｎ×１のアレイにおける各プロジェクション・レンズの周りで可動マスクを用いることにより、余分な光から生ずる歪みが最少になる。
【発明を実施するための最良の形態】
【０００７】
以下、添付図面を参照して本発明を詳細に説明する。
【０００８】
本発明は、ディスプレイ・デバイスがＮ×１のアレイに配列されたセグメント化されたディスプレイ・システムに関する。図２〜図４を参照すると、セグメント化されたディスプレイ・システム１００は、複数のプロジェクション（投写）デバイス１１０Ａ、１１０Ｂ、１１０Ｃ、１１０Ｄを備えている。各プロジェクション・デバイス１１０Ａ、１１０Ｂ、１１０Ｃ、１１０Ｄは、Ｎ×１のアレイにおけるディスプレイ・デバイス１１１Ａ、１１１Ｂ、１１１Ｃ、１１１Ｄのうちの対応するものの上に画像の一部を投影する。
【０００９】
図４を参照すると、各プロジェクション・デバイス１１０Ａ、１１０Ｂ、１１０Ｃ、１１Ｄは、ランプ１２０と、ミラー１２５と、レンズ取り付け部１３０と、可動マスク１４０とを備えている。各プロジェクタのランプ１２０は、画像の投影されるべき部分をミラー１２５に投影し、更に、Ｎ×１のアレイにおけるディスプレイ・デバイス１１１Ａ、１１１Ｂ、１１１Ｃ、１１１Ｄのうちの対応するものに投影する。
【００１０】
ミラー１２５は、ランプ１２０およびディスプレイ・デバイス１１１Ａ、１１１Ｂ、１１１Ｃ、１１１Ｄに対して約４５度の角度で配置される。ランプ１２０に対して４５度の角度のミラーを使用することによって、ランプ１２０における熱の下で、バルブの寿命が維持される。
【００１１】
図５のＡおよび図５のＢは、それぞれ、各プロジェクション・デバイスのレンズ上の可動マスクの平面図、側面図である。４×１のアレイのために、アセンブルされた（組み立てられた）マスクは、各レンズ１３０に用いられるマスク１４５が内部に設けられるマスク・フレーム１４３を備えている。各レンズのために、別個のマスクおよびフレームを使用してもよい。マスク・フレーム１４３は、光吸収材料で形成することができる。マスク１４５は、レンズ１３０の周りにフィットし、マスク・フレーム１４３の上を動くことができる。マスク１４５がマスク・フレーム１４３の上を動くことができるため、各プロジェクション・デバイス１１０Ａ〜１１０Ｄを個々に、セグメント化されたディスプレイ・システムの各ディスプレイ・デバイス１１１Ａ、１１１Ｂ、１１１Ｃ、１１１Ｄに並べることができる。図６のＡ〜図６のＥは、図５のＡ〜図５のＢに示された可動マスク１４０のマスク・フレーム１４３およびマスク１４５の平面図、側面図、および底面図である。
【図面の簡単な説明】
【００１２】
【図１】図１は、ディスプレイ・デバイスが２×２のアレイに配列されたセグメント化されたディスプレイ・システムを描いた図である。
【図２】図２は、ディスプレイ・デバイスがＮ×１のアレイに配列された本発明のセグメント化されたディスプレイ・システムの正面図である。
【図３】図３は、ディスプレイ・デバイスがＮ×１のアレイに配列された図２に示す本発明のセグメント化されたディスプレイ・システムの平面図である。
【図４】図４は、プロジェクション・デバイスのレンズ上に可動マスクを備えたディスプレイ・デバイスがＮ×１のアレイに配列された図２に示す本発明のセグメント化されたディスプレイ・システムの側面図である。
【図５】図５のＡおよび図５のＢは、図４の可動マスクのアセンブルされた平面図および側面図である。
【図６】図６のＡ〜図６のＥは、図５のＡよび図５のＢに示す可動マスクのマスク・フレームおよびマスクの側面図および底面図である。
【図１】
2007517435.tif 000003
【図２】
2007517435.tif 000004
【図３】
2007517435.tif 000005
【図４】
2007517435.tif 000006
【図５】
2007517435.tif 000007
【図５Ａ】
2007517435.tif 000008
【図５Ｂ】
2007517435.tif 000009
【図６】
2007517435.tif 000010
【図６Ａ】
2007517435.tif 000011
【図６Ｂ】
2007517435.tif 000012
【図６Ｃ】
2007517435.tif 000013
【図６Ｄ】
2007517435.tif 000014
【図６Ｅ】
2007517435.tif 000015
【国際調査報告】
2007517435.tif 000016
2007517435.tif 000017